(57)【要約】【課題】防水性を高める建具枠への受け具取付構造及びその施工方法を提供する。【解決手段】本発明の建具枠への受け具取付構造（１）は、出没自在の出没部材を有する建具と組み合わされ、かつ開口部（１１）を有する金属製の建具枠（１０）と、出没部材を受け、かつ開口部（１１）の全周端縁部に重ね合わせて取り付けられる鍔部（２１）を有する受け具（２０）とを備え、建具枠（１０）または受け具（２０）は、出没部材が挿入される挿入板部（２３）を有している。【選択図】図１
2017166220.tif 000002
【特許請求の範囲】
【請求項１】
出没自在の出没部材を有する建具と組み合わされ、かつ開口部を有する金属製の建具枠と、
前記出没部材を受け、かつ前記開口部の全周端縁部に重ね合わせて取り付けられる鍔部を有する受け具とを備え、
前記建具枠または前記受け具は、前記出没部材が挿入される挿入板部を有する、建具枠への受け具取付構造。
【請求項２】
前記挿入板部は、前記鍔部に重ねて配置された板状部材である、請求項１に記載の建具枠への受け具取付構造。
【請求項３】
前記挿入板部は、前記鍔部と同一平面上に形成されている、請求項１に記載の建具枠への受け具取付構造。
【請求項４】
前記挿入板部は、前記建具枠と同一平面上に形成されている、請求項１に記載の建具枠への受け具取付構造。
【請求項５】
前記開口部には、段差部が全周に渡って形成され、
前記鍔部は、前記段差部に係止されている、請求項２または３に記載の建具枠への受け具取付構造。
【請求項６】
前記段差部は、前記建具枠において露出する表面と、前記建具枠の裏面に取り付けられた貫通穴を有する取付板とで形成される、請求項５に記載の建具枠への受け具取付構造。
【請求項７】
前記建具枠と前記取付板とは、溶接されている、請求項６に記載の建具枠への受け具取付構造。
【請求項８】
前記鍔部の裏面側に配置された止水部材をさらに備える、請求項５〜７のいずれか１項に記載の建具枠への受け具取付構造。
【請求項９】
出没自在の出没部材を有する建具と組み合わされ、かつ開口部を有する金属製の建具枠を準備する工程と、
前記出没部材を受け、かつ鍔部を有する受け具を準備する工程と、
前記鍔部を前記開口部の全周端縁部に重ね合わせて取り付ける工程とを備え、
前記建具枠を準備する工程または前記受け具を準備する工程では、前記出没部材が挿入される挿入板部を有する前記建具枠または前記受け具を準備する、建具枠への受け具取付構造の施工方法。
【請求項１０】
前記受け具を準備する工程は、板状部材の前記挿入板部を前記鍔部に重ねて配置する工程を含む、請求項９に記載の建具枠への受け具取付構造の施工方法。
【発明の詳細な説明】
【技術分野】
【０００１】
本発明は、建具枠への受け具取付構造及びその施工方法に関し、より特定的には、ドア枠に受け具を取り付けた構造及びその施工方法に関する。
【背景技術】
【０００２】
建具としてドアを用いた場合のドア枠に受け具を取り付けた構造として、例えば、特開平９−４１７６３号公報（特許文献１）が挙げられる。この特許文献１に開示されている構造を図１４に示す。図１４に示すように、特許文献１には、建物の開口にドア枠１０１を取り付け、そのドア枠１０１の内側の出入口をドア１０２によって開閉するドアの開閉装置が開示されている。また、特許文献１には、ドアの閉鎖時に気密状態を必要とする場合、ドアにグレモン錠１０３を取り付けることが開示されている。特許文献１のグレモン錠１０３は、レバー軸１０４の両端部に取り付けられたハンドルレバー１０５の揺動により、レバー軸１０４に接続されたデッドボルト１０６の先端部をドア１０２の側面から出没させるとともに、上部ロッド１０７及び下部ロッド１０８を軸方向に移動させて各ロッド１０７、１０８の先端部をドア１０２の上下面より出没させて、ドア枠１０１の上枠及び下枠に取り付けられたロッド受け具１０９の挿入孔に係入させて、ドア１０２を固定する錠装置である。
【先行技術文献】
【特許文献】
【０００３】
【特許文献１】特開平９−４１７６３号公報
【発明の概要】
【発明が解決しようとする課題】
【０００４】
ここで、図１５及び図１６を参照して、比較例の建具枠への受け具取付構造を説明する。図１５は、比較例の建具枠への受け具取付構造近傍を概略的に示す断面図であり、図１４におけるドア枠の下部に相当する。図１６は、比較例の建具枠への受け具取付構造を概略的に示し、（Ａ）は平面図であり、（Ｂ）は断面図である。
【０００５】
比較例の建具枠への受け具取付構造は、図１５に示すように、ドア枠１０１の下枠に、ドア１０２の下部ロッド１０８を受けるロッド受け具１０９が取り付けられた構造である。そして、図１６（Ａ）及び（Ｂ）に示すように、比較例の建具枠への受け具取付構造は、ドア枠１０１の開口部１０１ａ（平面視において四角形状）における対向する２辺に裏面から取り付けられた取付板１１０と、取付板１１０において開口部１０１ａから突出した領域に取り付けられたロッド受け具１０９とを備えている。
【０００６】
また、図１５〜図１８を参照して、比較例の建具枠への受け具取付構造の施工方法について説明する。図１７は、建具枠に取付板を取り付ける工程を概略的に示し、（Ａ）は平面図であり、（Ｂ）は断面図である。図１８は、受け具を概略的に示す斜視図である。
【０００７】
まず、図１７（Ａ）及び（Ｂ）に示すように、ドア枠１０１の裏面に２枚の取付板１１０を取り付けて、開口部１０１ａの対向する２辺から取付板１１０の一部を突出させる。また、図１８に示すように、ロッド１０８を受けるロッド受け具１０９を準備する。ロッド受け具１０９は、筒状の本体部１０９ａと、この本体部１０９ａの一方開口を覆うストライク板１０９ｂとを含んでいる。ストライク板１０９ｂは、挿入孔１０９ｃ及び締結部材挿入孔１０９ｄを有している。次に、図１６（Ａ）及び（Ｂ）に示すように、取付板１１０において開口部１０１ａから突出している領域上にロッド受け具１０９を配置して、締結部材１１１により締結部材挿入孔１０９ｄを介して、ロッド受け具１０９と取付板１１０とを締結する。
【０００８】
しかしながら、比較例の建具枠への受け具取付構造では、防水が十分でないという新規な課題があることを本発明者は鋭意検討の結果、見出した。
【０００９】
本発明は、防水性を高める建具枠への受け具取付構造及びその施工方法を提供することを課題とする。
【課題を解決するための手段】
【００１０】
本発明者は、上記特許文献１に開示されているドア枠１０１にロッド受け具１０９が取り付けられた構造を雨水が浸入しやすい場所に配置すると、受け具１０９の隙間から雨水が浸入し、建具内部に漏水するという問題があることを初めて明らかにした。この問題は、上記特許文献１に開示されているグレモン錠が取り付けられたドアなどの建具は、通常、多くの水がかかる場所に配置されることはないため、建具枠への受け具取付構造において漏水が発生するという事象自体が認知されておらず、防水が必要であるという着想はなかったことに起因している。そこで、本発明者は、建具枠へ受け具を取り付ける構造において、防水性を高めるという課題を解決するために鋭意研究した結果、本発明を完成させた。
【００１１】
すなわち、本発明の建具枠への受け具取付構造は、出没自在の出没部材を有する建具と組み合わされ、かつ開口部を有する金属製の建具枠と、出没部材を受け、かつ開口部の全周端縁部に重ね合わせて取り付けられる鍔部を有する受け具とを備え、建具枠または受け具は、出没部材が挿入される挿入板部を有している。
【００１２】
本発明の建具枠への受け具取付構造の施工方法は、出没自在の出没部材を有する建具と組み合わされ、かつ開口部を有する金属製の建具枠を準備する工程と、出没部材を受け、かつ鍔部を有する受け具を準備する工程と、鍔部を開口部の全周端縁部に重ね合わせて取り付ける工程とを備え、建具枠を準備する工程または受け具を準備する工程では、出没部材が挿入される挿入板部を有する建具枠または受け具を準備する。
【００１３】
本発明の建具枠への受け具取付構造及びその施工方法によれば、受け具の鍔部は、建具枠の開口部の全周端縁部に重ね合わせて取り付けられているので、建具枠の開口部と受け具との隙間を低減できる。これにより、水が浸入する隙間を低減できるので、建具枠へ受け具を取り付ける構造において、防水性を高めることができる。
【００１４】
本発明の建具枠への受け具取付構造において、挿入板部は、鍔部に重ねて配置された板状部材であってもよい。本発明の建具枠への受け具取付構造の施工方法において、受け具を準備する工程は、板状部材の挿入板部を鍔部に重ねて配置する工程を含んでいてもよい。
【００１５】
また、本発明の建具枠への受け具取付構造において、挿入板部は、鍔部と同一平面上に形成されていてもよい。
【００１６】
また、本発明の建具枠への受け具取付構造において、挿入板部は、建具枠と同一平面上に形成されていてもよい。
【００１７】
本発明の建具枠への受け具取付構造において好ましくは、開口部には、段差部が全周に渡って形成され、鍔部は、段差部に係止されている。なお、本発明の段差部は、建具枠のみで形成してもよく、建具枠と別部材とで形成してもよい。
【００１８】
本発明の建具枠への受け具取付構造において好ましくは、段差部は、建具枠において露出する表面と、建具枠の裏面に取り付けられた貫通穴を有する取付板とで形成される。
【００１９】
本発明の建具枠への受け具取付構造において好ましくは、建具枠と取付板とは、溶接されている。
【００２０】
本発明の建具枠への受け具取付構造において好ましくは、鍔部の裏面側に配置された止水部材をさらに備えている。
【発明の効果】
【００２１】
本発明の建具枠への受け具取付構造及びその施工方法によれば、防水性を高めることができる。
【図面の簡単な説明】
【００２２】
【図１】本発明の実施の形態１における建具枠への受け具取付構造を概略的に示し、（Ａ）は平面図であり、（Ｂ）は（Ａ）のＩＢ−ＩＢ線に沿った断面図である。
【図２】本発明の実施の形態１における建具枠への受け具取付構造の施工方法を説明するための図であり、（Ａ）は平面図であり、（Ｂ）は（Ａ）のＩＩＢ−ＩＩＢ線に沿った断面図である。
【図３】本発明の実施の形態１における建具枠への受け具取付構造の施工方法を説明するための図であり、（Ａ）は平面図であり、（Ｂ）は（Ａ）のＩＩＩＢ−ＩＩＩＢ線に沿った断面図である。
【図４】本発明の実施の形態１の変形例における建具枠への受け具取付構造を概略的に示す断面図であり、図１（Ａ）のＩＢ−ＩＢ線に沿った断面図に対応する。
【図５】本発明の実施の形態１の変形例における建具枠への受け具取付構造の施工方法を説明するための断面図である。
【図６】本発明の実施の形態２における建具枠への受け具取付構造を概略的に示し、（Ａ）は平面図であり、（Ｂ）は（Ａ）のＶＩＢ−ＶＩＢ線に沿った断面図である。
【図７】本発明の実施の形態２における建具枠への受け具取付構造の施工方法を説明するための図であり、（Ａ）は平面図であり、（Ｂ）は（Ａ）のＶＩＩＢ−ＶＩＩＢ線に沿った断面図であり、（Ｃ）は斜視図である。
【図８】本発明の実施の形態３における建具枠への受け具取付構造を概略的に示す断面図である。
【図９】本発明の実施の形態４における建具枠への受け具取付構造を概略的に示す断面図である。
【図１０】本発明の実施の形態４の変形例における建具枠への受け具取付構造を概略的に示す断面図である。
【図１１】本発明の実施の形態５における建具枠への受け具取付構造を概略的に示す断面図である。
【図１２】本発明の実施の形態５の変形例における建具枠への受け具取付構造を概略的に示す断面図である。
【図１３】本発明の実施の形態６における建具枠への受け具取付構造を概略的に示す断面図である。
【図１４】特許文献１に開示の構造を示す断面図である。
【図１５】比較例における建具枠への受け具取付構造の近傍を概略的に示す断面図である。
【図１６】比較例の建具枠への受け具取付構造を概略的に示し、（Ａ）は平面図であり、（Ｂ）は（Ａ）のＸＶＩＢ−ＸＶＩＢ線に沿った断面図である。
【図１７】比較例における建具枠への受け具取付構造の施工方法を説明するための図であり、（Ａ）は平面図であり、（Ｂ）は（Ａ）のＸＶＩＩＢ−ＸＶＩＩＢ線に沿った断面図である。
【図１８】受け具を概略的に示す斜視図である。
【発明を実施するための形態】
【００２３】
以下、図面に基づいて本発明の実施の形態を説明する。なお、以下の図面において同一または相当する部分には同一の参照符号を付しその説明は繰り返さない。また、本実施の形態において、表面とは、露出する側に位置する面を意味し、裏面とは、露出しない側に位置する面を意味する。
【００２４】
（実施の形態１）
図１を参照して、本発明の一実施形態の建具枠への受け具取付構造について説明する。本発明の実施の形態１の建具枠への受け具取付構造１は、建具としてグレモン錠を有するドアと組み合わせて用いる建具枠への受け具取付構造（図８参照）である。本実施の形態の建具枠への受け具取付構造１は、図１（Ａ）及び（Ｂ）に示すように、建具枠１０と、受け具２０と、締結部材４０と、止水部材５０とを備えている。
【００２５】
建具枠１０は、出没自在の出没部材を有する建具と組み合わされる。出没部材は、特に限定されないが、例えばロッドである。ロッドを有する建具は、特に限定されないが、図１４に示すようなグレモン錠の下部ロッド１０８を有するドア１０２であることが好ましい。建具枠１０は、金属製であり、例えばステンレス製である。
【００２６】
建具枠１０は、開口部１１を有している。この開口部１１は、受け具２０を取り付けるために設けられている。開口部１１は、建具枠１０における上端部及び下端部に形成されている。開口部１１の平面視における形状は特に限定されないが、例えば図１（Ａ）に示すように四角形である。
【００２７】
開口部１１には、段差部Ｘが全周に渡って形成されている。本実施の形態の段差部Ｘは、建具枠１０において露出する表面（図１（Ｂ）における上段面）と、建具枠１０の裏面に取り付けられた貫通穴を有する取付板３０の表面（図１（Ｂ）における下段面）とで形成されている。取付板３０は、平面視が四角形の板状部材であり、その中央に平面視が四角形の穴が形成されている。取付板３０の外側部分は建具枠１０と重ねて配置され、取付板３０の内側部分は上段面から内側に突出している。
【００２８】
建具枠１０と取付板３０との接続手段は、特に限定されず、溶接、接着、溶着などを用いることができる。水が浸入する隙間を容易に低減する観点から、建具枠１０と取付板３０とは溶接されていることが好ましい。このため、取付板３０は金属製であることが好ましい。
【００２９】
建具枠１０の開口部１１には、受け具２０が取り付けられている。この受け具２０は、建具の上下面からロッドの先端を建具枠１０に出没させたときに、そのロッドの先端を受ける部材であり、図１（Ｂ）に示すように、鍔部２１と、本体部２２と、挿入板部２３とを含んでいる。
【００３０】
鍔部２１は、外側に向けて延出し、開口部１１の全周端縁部に重ね合わせて取り付けられている。挿入板部２３は、内側に向けて延出し、建具のロッドが挿入される挿入孔を有している。本実施の形態では、鍔部２１と挿入板部２３とは、同一平面上に形成されており、一体成形された板状である。意匠性を高める観点から、鍔部２１及び挿入板部２３の表面は、建具枠１０の露出する表面と同一平面上に位置している。
【００３１】
本体部２２は、挿入板部２３の挿入孔を挿通したロッドの先端を受ける。本体部２２は、ロッドの軸方向に沿って延びる側壁部２４と、この側壁部２４と連なるとともに挿入板部２３と対向する位置に設けられる底部２５とを有している。底部２５は、挿入孔を閉鎖している。底部２５は、孔が形成されていない閉鎖端であり、板状部材である。側壁部２４と底部２５とで、断面視において略コ字状をなしている。
【００３２】
なお、鍔部２１と本体部２２とは一体成形されていてもよく、別部材が連結されていてもよい。また、鍔部２１と挿入板部２３とは一体成形されていてもよく、別部材が連結されていてもよい。
【００３３】
受け具２０の鍔部２１は、取付板３０上に重ねて配置され、鍔部２１と取付板３０とは、締結部材４０で締結されている。なお、鍔部２１には、締結部材４０を挿入するための締結部材挿入孔が形成されていてもよい。このように、受け具２０の鍔部２１は、段差部Ｘに係止されている。
【００３４】
鍔部２１の裏面側には、防水性をより高める観点から、止水部材５０が設けられている。つまり、止水部材５０は、取付板３０と鍔部２１との間に配置されている。止水部材５０は、平面視において四角形の板状部材であり、その中央に四角形状の穴が形成されている。止水部材５０は、隙間を密閉するシール部材であり、パッキン、ガスケットなどを用いることができる。
【００３５】
続いて、図１〜図３を参照して、本実施の形態における建具枠への受け具取付構造１の施工方法について説明する。
【００３６】
まず、図２（Ａ）及び（Ｂ）に示すように、出没自在の出没部材を有する建具と組み合わされ、かつ開口部１１を有する金属製の建具枠１０を準備する。
【００３７】
次に、図３（Ａ）及び（Ｂ）に示すように、建具枠１０の裏面に取付板３０を取り付けて、段差部Ｘを形成する。この工程では、溶接により取付板３０を建具枠１０に取り付けることが好ましい。
【００３８】
次に、図３（Ａ）及び（Ｂ）に示すように、段差部Ｘにおいて取付板３０上に止水部材５０を設ける。
【００３９】
次に、図１（Ａ）及び（Ｂ）に示すように、出没部材を受け、かつ鍔部２１を有する受け具２０を準備する。なお、本実施の形態の受け具２０は、本体部２２が底部２５をさらに有している点において、図１８に示す比較例の受け具１０９と異なる。つまり、鍔部２１と、この鍔部２１と同一平面上に形成された挿入板部２３と、側壁部２４と、底部２５とを有する受け具２０を準備する。
【００４０】
次に、鍔部２１を開口部１１の全周端縁部に重ね合わせて取り付ける。この工程では、受け具２０の鍔部２１を段差部Ｘに係止する。
【００４１】
具体的には、鍔部２１を段差部Ｘに設けられた止水部材５０上に配置して、本体部２２を開口部１１の内部に挿入する。この状態で、図１（Ａ）に示すように、鍔部２１、止水部材５０及び取付板３０を締結部材４０で締結する。
【００４２】
以上の工程を実施することにより、建具枠１０へ受け具２０を取り付けることができる。この建具枠への受け具取付構造１に、出没自在の出没部材を有する建具を取り付けることで、建具構造を実現できる。なお、本発明は、建具枠へ受け具が取り付けられた従来の構造において、本実施の形態の受け具取付構造に補修することも含む。
【００４３】
（変形例）
図４を参照して、実施の形態１の変形例における建具枠への受け具取付構造２について説明する。変形例の建具枠への受け具取付構造２は、基本的には図１に示す建具枠への受け具取付構造１と同様の構成を備えているが、受け具２０において異なる。
【００４４】
具体的には、変形例の受け具２０は、第１の受け具２０ａと、この第１の受け具２０ａの内部に取り付けられる第２の受け具２０ｂとを有している。
【００４５】
第２の受け具２０ｂは、鍔部と挿入板部とを有している一方、挿入板部を閉鎖する底部を有していない。表面側に位置する第２の受け具２０ｂの挿入板部の表面及び鍔部の表面は、建具枠１０の表面と、同一平面上に位置している。
【００４６】
第１の受け具２０ａは、第２の受け具２０ｂを受けるとともに、第２の受け具２０ｂの挿入板部の挿入孔を閉鎖する底部２０ａ１と鍔部とを有している。第１の受け具２０ａの鍔部は、段差部Ｘに係止されている。
【００４７】
変形例における建具枠への受け具取付構造２の施工方法は、基本的には実施の形態１と同様であるが、受け具を準備する工程において異なる。
【００４８】
具体的には、実施の形態１と同様に、図２（Ａ）及び（Ｂ）に示すように、開口部を有する金属製の建具枠を準備する。次に、図３（Ａ）及び（Ｂ）に示すように、建具枠の裏面に取付板３０を取り付けて、段差部Ｘを形成する。
【００４９】
次に、図５に示すように、建具枠１０の開口部１１に、止水部材５０を配置し、さらに第１の受け具２０ａを配置する。そして、図４に示すように、第１の受け具２０ａの内部に、第２の受け具２０ｂを配置する。その後、締結部材４０により、第２の受け具２０ｂの鍔部、第１の受け具２０ａの鍔部、止水部材５０及び取付板３０を締結部材４０で締結する。なお、第１の受け具２０ａ及び第２の受け具２０ｂを重ねた状態で、開口部１１に配置してもよい。
【００５０】
続いて、本実施の形態及びその変形例の建具枠への受け具取付構造１、２の効果について、図１６に示す比較例と比較して説明する。
【００５１】
図１６に示す比較例では、建具枠としてのドア枠１０１の開口部１０１ａに受け具１０９を取り付けることのみを考慮しているので、図１６（Ａ）に示すように、取付板１１０は開口部１０１ａにおける対向する２辺から突出するようにドア枠１０１に取り付けられている。このため、比較例の受け具取付構造では、開口部１０１ａにおいて取付板１１０が取り付けられていない対向する２辺近傍から水が浸入し、侵入した水は、受け具１０９の外側や内部を通り、さらに建物内部へ移動する。
【００５２】
一方、本実施の形態及びその変形例の建具枠への受け具取付構造１、２によれば、建具枠１０の開口部１１の全周（図１（Ａ）における４辺全周）端縁部に受け具２０の鍔部２１を重ね合わせて取り付けている。このため、建具枠１０の開口部１１と受け具２０との隙間を低減できるので、建具枠１０の開口部１１から受け具２０へ水が浸入する隙間が低減される。したがって、防水性を高めることができるので、建具枠開口部の止水構造を実現できる。
【００５３】
また、本実施の形態及びその変形例の建具枠への受け具取付構造１、２によれば、受け具２０を取り付ける建具枠１０の開口部１１の全周（図１（Ａ）における４辺全周）に渡って段差部Ｘが形成されている。したがって、防水性を高める建具枠への受け具取付構造を容易に実現できる。
【００５４】
なお、本実施の形態及びその変形例の建具枠への受け具取付構造１、２は、建具枠１０と、別部材である取付板３０とで段差部Ｘを形成しているので、施工が容易であるという利点もある。
【００５５】
このように、本実施の形態及びその変形例の建具枠への受け具取付構造１、２は、防水性を高めることができるので、建具枠として、外部に配置される外部建具枠に好適に用いられ、特に、グレモン錠の下側ロッド（下部ロッド）を有するドアと組み合わされるドア枠に好適に用いられる。
【００５６】
（実施の形態２）
図６を参照して、本発明の実施の形態２における建具枠への受け具取付構造３について説明する。実施の形態２の建具枠への受け具取付構造３は、基本的には図１に示す建具枠への受け具取付構造１と同様の構成を備えているが、段差部Ｙにおいて異なる。
【００５７】
具体的には、図６（Ａ）及び（Ｂ）に示すように、段差部Ｙは、建具枠１０のみで形成しているので、建具枠への受け具取付構造３は取付板３０を有していない。
【００５８】
続いて、図６及び図７を参照して、本実施の形態の建具枠への受け具取付構造３の施工方法について説明する。
【００５９】
まず、出没自在の出没部材を有する建具と組み合わされ、かつ段差部Ｙを有する開口部を有する金属製の建具枠を準備する。開口部１１の形成方法は特に限定されず、例えばプレス成形などを用いる。
【００６０】
次に、図６（Ａ）及び（Ｂ）に示すように、段差部Ｙにおいて受け具２０の鍔部２１が配置される領域に止水部材５０を設ける。
【００６１】
次に、実施の形態１と同様に、出没部材を受け、かつ鍔部２１と本体部２２と挿入板部２３とを有する受け具２０を準備する。
【００６２】
次に、図６（Ａ）及び（Ｂ）に示すように、受け具２０の鍔部２１を建具枠１０の開口部１１の全周端縁部に重ね合わせて、受け具２０を建具枠１０に取り付ける。この工程では、受け具２０の鍔部２１を段差部Ｙに係止する。そして、鍔部２１、止水部材５０及び建具枠１０を締結部材４０で締結する。
【００６３】
以上の工程を実施することにより、実施の形態２における建具枠への受け具取付構造３を施工できる。本実施の形態における建具枠への受け具取付構造３においても、建具枠１０の開口部１１の全周端縁部に鍔部２１が重ね合わせて取り付けられているので、建具枠１０の開口部１１と受け具２０との隙間を低減できる。したがって、本実施の形態の建具枠へ受け具を取り付ける構造においても、防水性を高めることができる。
【００６４】
（実施の形態３）
図８を参照して、本発明の実施の形態３における建具枠への受け具取付構造４について説明する。実施の形態３の建具枠への受け具取付構造４は、基本的には図１に示す建具枠への受け具取付構造１と同様の構成を備えているが、受け具２０において異なる。
【００６５】
具体的には、受け具２０の挿入板部２３は、鍔部２１と別部材である。挿入板部２３は、鍔部２１に重ねて配置された板状部材である。本実施の形態の挿入板部２３は、平面視において四角形の板状部材であり、その中央に出没部材が挿入される挿入孔が形成されている。挿入孔の平面視における形状は特に限定されないが、例えば四角形である。意匠性を高める観点から、挿入板部２３の表面と建具枠１０において露出する表面とは、同一平面上に位置している。
【００６６】
本実施の形態の建具枠への受け具取付構造４の施工方法は、基本的には実施の形態１と同様であるが、受け具を準備する工程において異なる。
【００６７】
具体的には、まず、鍔部２１と本体部２２とを有する部材を準備する。また、出没部材が挿入される挿入孔を有する板状部材の挿入板部２３を準備する。次いで、鍔部２１に重ねて、挿入板部２３を配置する。挿入板部２３は、鍔部２１上に接して配置されてもよく、別部材を介して鍔部２１上に配置されてもよい。別部材は、特に限定されず、例えば、止水部材、接着部材などである。
【００６８】
以上の工程を実施することにより、図８に示す実施の形態３における建具枠への受け具取付構造４を施工できる。本実施の形態のように、挿入板部２３を別部材で形成しても、防水性を高める建具枠への受け具取付構造４を実現できる。
【００６９】
（実施の形態４）
図９を参照して、本発明の実施の形態４における建具枠への受け具取付構造５について説明する。実施の形態４の建具枠への受け具取付構造５は、基本的には図１に示す建具枠への受け具取付構造１と同様の構成を備えているが、建具枠１０が挿入板部１４を有している点において主に異なる。
【００７０】
具体的には、図９に示すように、受け具２０は、鍔部２１と、本体部２２とを有し、挿入板部を有していない。本実施の形態では、建具枠１０において開口部１１を形成する部分が挿入板部１４である。つまり、挿入板部１４は、建具枠１０と同一平面上に形成されている。
【００７１】
また、実施の形態４の建具枠への受け具取付構造５は、取付板３０を備えておらず、建具枠１０の開口部１１は段差構造を有していない。そして、鍔部２１は、建具枠１０の裏面に取り付けられている。つまり、鍔部２１は、建具枠１０において露出する表面よりも裏面側に位置している。図９では、建具枠１０と鍔部２１とは、止水部材５０を介して重ねて配置されている。本実施の形態では、鍔部２１全体が、建具枠１０の開口部１１の全周端縁部に重ね合わせて取り付けられている。
【００７２】
本実施の形態の建具枠への受け具取付構造５の施工方法は、基本的には実施の形態１と同様であるが、受け具を準備する工程及び建具枠を準備する工程において異なる。
【００７３】
具体的には、鍔部２１と、本体部２２とを有し、挿入板部を有していない受け具２０を準備する。また、出没部材が挿入される挿入板部１４を有する建具枠１０を準備する。次に、建具枠１０の開口部１１の全周端縁部（本実施の形態では挿入板部１４）の下に鍔部２１を配置して、受け具２０を建具枠１０に取り付ける。
【００７４】
（変形例）
図１０を参照して、実施の形態４の変形例における建具枠への受け具取付構造６について説明する。変形例の建具枠への受け具取付構造６は、基本的には図９に示す建具枠への受け具取付構造５と同様の構成を備えているが、受け具２０において異なる。変形例の受け具２０の鍔部２１は、別部材２６で形成している。
【００７５】
具体的には、別部材２６は、断面視において略Ｌ字状である。別部材２６は、建具枠１０の開口部１１の端縁部（変形例では挿入板部１４）及び受け具２０の本体部２２の側壁部のそれぞれに沿うように取り付けられている。
【００７６】
変形例の建具枠への受け具取付構造６の施工方法は、基本的には実施の形態４と同様であるが、受け具を準備する工程において異なる。
【００７７】
具体的には、受け具２０を準備する工程では、本体部２２を有する部材と、別部材２６とを準備する。そして、別部材２６が鍔部２１を形成するように、本体部２２に取り付ける。
【００７８】
以上説明したように、本実施の形態及びその変形例の建具枠への受け具取付構造５、６のように、挿入板部２３は建具枠１０に含まれていてもよい。この場合も、防水性を高める建具枠への受け具取付構造５、６を実現できる。
【００７９】
（実施の形態５）
図１１を参照して、本発明の実施の形態５における建具枠への受け具取付構造７は、基本的には図９に示す建具枠への受け具取付構造５と同様の構成を備えているが、建具枠１０の挿入板部１４の形状において異なる。実施の形態５の建具枠１０の挿入板部１４は、図９に示すように、露出する表面から屈曲された折り曲げ部である。
【００８０】
実施の形態５における建具枠への受け具取付構造７の施工方法は、基本的には実施の形態４と同様であるが、建具枠を準備する工程において図１１に示すような建具枠を準備する点において異なる。
【００８１】
（変形例）
図１２を参照して、実施の形態５の変形例における建具枠への受け具取付構造８は、基本的には図１１に示す実施の形態５と同様の構成を備えているが、受け具２０の鍔部２１を別部材２６で形成している点において異なる。別部材２６は、実施の形態５の変形例と同様であるので、その説明を繰り返さない。
【００８２】
変形例の建具枠への受け具取付構造８の施工方法は、基本的には実施の形態５と同様であるが、受け具を準備する工程において、鍔部２１を有する別部材２６を本体部２２に取り付ける点において異なる。
【００８３】
以上説明したように、実施の形態５及びその変形例の建具枠への受け具取付構造７、８のように、挿入板部２３は建具枠１０に含まれていてもよい。実施の形態５及びその変形例の建具枠への受け具取付構造７、８は、鍔部２１と交差する方向に延びる挿入板部２３により、防水性をより高めることができる。
【００８４】
（実施の形態６）
図１３を参照して、実施の形態６における建具枠への受け具取付構造９は、基本的には図９に示す実施の形態４の建具枠への受け具取付構造５と同様の構成を備えているが、受け具２０の鍔部２１は建具枠１０の表面上に位置している点において主に異なる。
【００８５】
具体的には、受け具２０の鍔部２１は、建具枠１０の開口部１１を形成する部分上に止水部材５０を介して重ねて配置されている。また、本実施の形態の挿入板部は、鍔部２１と兼用されている。
【００８６】
実施の形態６の建具枠への受け具取付構造９の施工方法は、基本的には実施の形態１と同様であるが、受け具を準備する工程及び取り付ける工程において異なる。
【００８７】
具体的には、図１３に示す受け具２０を準備する。建具枠１０の開口部１１を形成する領域上に、止水部材５０を配置する。次に、止水部材５０を挟んで、建具枠１０の開口部１１の全周端縁部上に、受け具２０の鍔部２１を配置する。その後、締結部材により建具枠１０、止水部材５０及び鍔部２１を締結する。
【００８８】
以上の工程を実施することにより、図１３に示す実施の形態６の建具枠への受け具取付構造９を施工できる。実施の形態６のように、鍔部２１は建具枠１０の表面に取り付けられていてもよい。この場合も、防水性を高める建具枠への受け具取付構造９を実現できる。
【００８９】
ここで、実施の形態１〜６においては、建具枠としてドア枠を用いた建具枠への受け具取付構造を例に挙げて説明したが、本発明の建具枠はドア枠に特に限定されず、窓枠などであってもよい。また、本実施の形態では、建具枠の下部に受け具を取り付ける構造について説明したが、例えば上枠及び下枠など、本発明は建具枠の任意の位置に受け具を取り付ける構造を含むとともに、複数及び単数の受け具を取り付ける構造を含む。さらに、実施の形態１〜６においては、建具枠と組み合わされる出没部材を有する建具としてグレモン錠を有するドアを用いたロッドを有する建具を例に挙げて説明したが、本発明の建具は、建築物の開口部に設けられる開閉機能を持つ仕切であれば特に限定されず、グレモン錠以外のロッドを有するドアであってもよく、窓などであってもよい。また、出没部材は、ロッドに特に限定されず、任意の形状が採用される。
【００９０】
以上のように本発明の実施の形態について説明を行なったが、各実施の形態及びその変形例の特徴を適宜組み合わせることも当初から予定している。今回開示された実施の形態はすべての点で例示であって制限的なものではないと考えられるべきである。本発明の範囲は上記した実施の形態ではなくて特許請求の範囲によって示され、特許請求の範囲と均等の意味及び範囲内でのすべての変更が含まれることが意図される。
【符号の説明】
【００９１】
１，２，３，４，５，６，７，８，９  建具枠への受け具取付構造、１０  建具枠、１１  開口部、２０  受け具、２０ａ  第１受け具、２０ａ１，２５  底部、２０ｂ  第２受け具、２１  鍔部、２２  本体部、２３  挿入板部、２４  側壁部、２６  別部材、３０  取付板、４０  締結部材、５０  止水部材、Ｘ，Ｙ  段差構造。
【図１】
2017166220.tif 000003
【図２】
2017166220.tif 000004
【図３】
2017166220.tif 000005
【図４】
2017166220.tif 000006
【図５】
2017166220.tif 000007
【図６】
2017166220.tif 000008
【図７】
2017166220.tif 000009
【図８】
2017166220.tif 000010
【図９】
2017166220.tif 000011
【図１０】
2017166220.tif 000012
【図１１】
2017166220.tif 000013
【図１２】
2017166220.tif 000014
【図１３】
2017166220.tif 000015
【図１４】
2017166220.tif 000016
【図１５】
2017166220.tif 000017
【図１６】
2017166220.tif 000018
【図１７】
2017166220.tif 000019
【図１８】
2017166220.tif 000020